(57)【特許請求の範囲】
【請求項１】
ＡＭＦ（１０６）によって実施される方法であって、前記方法は、
経過時間値（δＲＡＮ）を決定することと、
前記経過時間値（δＲＡＮ）が、ネゴシエートされたＮＡＳ周期タイマー（τＮＡＳ−ｐｅｒ）よりも小さいかどうかを決定することと
を含み、
前記ＡＭＦ（１０６）は、δＲＡＮ＜τＮＡＳ−ｐｅｒであると前記ＡＭＦ（１０６）が決定したことの結果として、前記ＡＭＦ（１０６）が、ユーザ機器（ＵＥ）（１０２）をＣＭアイドル状態に遷移させ、τＮＡＳ−ｐｅｒ−δＲＡＮに等しい値からＮＡＳ周期タイマーを開始するように設定された、方法。
【請求項２】
前記ＡＭＦ（１０６）は、τＮＡＳ−ｐｅｒ≦δＲＡＮであると前記ＡＭＦ（１０６）が決定したことの結果として、前記ＡＭＦ（１０６）が、前記ＵＥ（１０２）をＣＭアイドル状態に遷移させ、前記ＵＥ（１０２）に関連するページング進行フラグ（ＰＰＦ）をクリアするようにさらに設定された、請求項１に記載の方法。
【請求項３】
前記ＡＭＦ（１０６）は、τＮＡＳ−ｐｅｒ≦δＲＡＮおよびδＲＡＮ＜τＮＡＳ−ｐｅｒ＋τｄｅｔであると前記ＡＭＦ（１０６）が決定したことの結果として、前記ＡＭＦ（１０６）が、τｄｅｔ−（δＲＡＮ−τＮＡＳ−ｐｅｒ）に等しい値でＮＡＳ周期タイマーを開始するようにさらに設定され、τｄｅｔがＮＡＳ暗黙的デタッチタイマーである、請求項２に記載の方法。
【請求項４】
前記ＡＭＦ（１０６）は、δＲＡＮ＞τＮＡＳ−ｐｅｒ＋τｄｅｔであると前記ＡＭＦ（１０６）が決定したことの結果として、前記ＡＭＦ（１０６）が前記ＵＥ（１０２）を暗黙的にデタッチするようにさらに設定された、請求項２に記載の方法。
【請求項５】
前記経過時間値（δＲＡＮ）を決定することが、経過時間値（δＲＡＮ）を含むユーザ機器（ＵＥ）（１０２）コンテキスト解放要求をアクセスネットワーク（ＡＮ）（１０４）から受信することを含む、請求項１から４のいずれか一項に記載の方法。
【請求項６】
ＡＭＦ（１０６）によって実施される方法であって、前記方法は、
ユーザ機器（ＵＥ）（１０２）がＣＭ接続、ＲＲＣアクティブ状態に遷移する準備ができていると決定することと、
前記ＵＥ（１０２）がＣＭ接続、ＲＲＣアクティブ状態に遷移する準備ができていると決定したことに応答して、ＮＡＳ周期タイマーとＮＡＳ登録エリアとを含むＵＥ（１０２）コンテキスト要求をアクセスネットワーク（ＡＮ）（１０４）に送ることと
を含む、方法。
【請求項７】
前記ＡＮによって送信されたＮ２  ＵＥコンテキスト解放要求を受信することをさらに含み、前記Ｎ２  ＵＥコンテキスト解放要求は、ＵＥ（１０２）に関連し、前記ＡＮ（１０４）が前記ＵＥ（１０２）を監視する際に使用するための周期タイマーを開始することと、前記ＡＮ（１０４）が前記Ｎ２  ＵＥコンテキスト解放要求を送信することとの間に経過した時間量を指示する経過時間値（δＲＡＮ）を含む、
請求項６に記載の方法。
【請求項８】
ＡＭＦ（１０６）によって実施される方法であって、前記方法は、
ユーザ機器（ＵＥ）（１０２）に関連し、アクセスネットワーク（ＡＮ）（１０４）が前記ＵＥ（１０２）を監視する際に使用するための周期タイマーを開始することと、前記ＡＮ（１０４）がＮ２  ＵＥコンテキスト解放要求を送信することとの間に経過した時間量を指示する経過時間値（δＲＡＮ）を含む前記Ｎ２  ＵＥコンテキスト解放要求を前記ＡＮ（１０４）から受信すること
を含む、方法。
【請求項９】
前記ＵＥ（１０２）がＣＭ接続、ＲＲＣアクティブ状態に遷移する準備ができていると決定することと、
前記ＵＥ（１０２）がＣＭ接続、ＲＲＣアクティブ状態に遷移する準備ができていると決定したことに応答して、ＮＡＳ周期タイマーとＮＡＳ登録エリアとを含むＵＥコンテキスト要求をアクセスネットワーク（ＡＮ）（１０４）に送ることと
をさらに含む、請求項８に記載の方法。
【請求項１０】
アクセスネットワーク（ＡＮ）（１０４）によって実施される方法であって、前記方法は、
ユーザ機器（ＵＥ）（１０２）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦ（１０６）から受信することと、
前記ＵＥ（１０２）と前記ＡＮ（１０４）との間のＲＲＣ接続をセットアップすることと
を含む、方法。
【請求項１１】
アクセスネットワーク（ＡＮ）（１０４）によって実施される方法であって、前記方法は、
ユーザ機器（ＵＥ）（１０２）がＣＭ接続、ＲＲＣ非アクティブ状態に遷移したと決定することと、
前記ＵＥ（１０２）がＣＭ接続、ＲＲＣ非アクティブ状態に遷移したと決定したことに応答して、周期更新タイマーを開始することと、
前記ＵＥ（１０２）に関連するＵＥ−ＲＡＮコンテキストを除去することを決定することと、
前記ＵＥ（１０２）に関連する前記ＵＥ−ＲＡＮコンテキストを除去することを決定したことに応答して、前記周期更新タイマーの経過時間値（δＲＡＮ）を含むＮ２  ＵＥコンテキスト解放要求をＡＭＦ（１０６）に送ることと
を含む、方法。
【請求項１２】
アクセスネットワーク（ＡＮ）（１０４）によって実施される方法であって、前記方法は、
ユーザ機器（ＵＥ）（１０２）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦ（１０６）から受信することと、
前記ＵＥ（１０２）と前記ＡＮ（１０４）との間のＲＲＣ接続をセットアップすることと、
前記ＵＥ（１０２）がＣＭ接続、ＲＲＣ非アクティブ状態に遷移したと決定することと、
前記ＵＥ（１０２）がＣＭ接続、ＲＲＣ非アクティブ状態に遷移したと決定したことに応答して、周期更新タイマーを開始することと、
前記ＵＥ（１０２）に関連するＵＥ−ＲＡＮコンテキストを除去することを決定することと、
前記ＵＥ（１０２）に関連する前記ＵＥ−ＲＡＮコンテキストを除去することを決定したことに応答して、前記周期更新タイマーの経過時間値（δＲＡＮ）を含むＮ２  ＵＥコンテキスト解放要求を前記ＡＭＦ（１０６）に送ることと
を含む、方法。
【請求項１３】
ＲＡＮが前記ＵＥ（１０２）を設定することを意図する周期ＲＡＮ更新タイマー値を指示する、前記周期ＲＡＮ更新タイマー値を備えるＵＥコンテキスト応答を前記ＡＭＦ（１０６）に送ること
をさらに含む、請求項１０から１２のいずれか一項に記載の方法。
【請求項１４】
前記ＵＥ（１０２）が前記ＲＲＣ非アクティブ状態に入ったことを前記ＡＭＦ（１０６）に通知することをさらに含む、請求項１１または１２に記載の方法。
【請求項１５】
ＡＭＦ（１０６）であって、前記ＡＭＦ（１０６）は、
経過時間値（δＲＡＮ）を決定することと、前記経過時間値（δＲＡＮ）が、ネゴシエートされたＮＡＳ周期タイマー（τＮＡＳ−ｐｅｒ）よりも小さいかどうかを決定することとを行うように設定された、決定モジュール（１００８）と、
δＲＡＮ＜τＮＡＳ−ｐｅｒであると前記決定モジュール（１００８）が決定したことの結果として、ユーザ機器（ＵＥ）（１０２）をＣＭアイドル状態に遷移させ、τＮＡＳ−ｐｅｒ−δＲＡＮに等しい値からＮＡＳ周期タイマーを開始するように設定された、アクションモジュール（１００６）と
を備える、ＡＭＦ（１０６）。
【請求項１６】
前記アクションモジュール（１００６）は、τＮＡＳ−ｐｅｒ≦δＲＡＮであると前記決定モジュールが決定したことの結果として、前記ＵＥ（１０２）をＣＭアイドル状態に遷移させ、前記ＵＥ（１０２）に関連するページング進行フラグ（ＰＰＦ）をクリアするようにさらに設定された、請求項１５に記載のＡＭＦ（１０６）。
【請求項１７】
前記アクションモジュール（１００６）は、τＮＡＳ−ｐｅｒ≦δＲＡＮおよびδＲＡＮ＜τＮＡＳ−ｐｅｒ＋τｄｅｔであると前記決定モジュールが決定したことの結果として、τｄｅｔ−（δＲＡＮ−τＮＡＳ−ｐｅｒ）に等しい値でＮＡＳ周期タイマーを開始するようにさらに設定され、τｄｅｔがＮＡＳ暗黙的デタッチタイマーである、請求項１５または１６に記載のＡＭＦ（１０６）。
【請求項１８】
前記アクションモジュール（１００６）は、δＲＡＮ＞τＮＡＳ−ｐｅｒ＋τｄｅｔであると前記決定モジュールが決定したことの結果として、前記ＵＥ（１０２）を暗黙的にデタッチするようにさらに設定された、請求項１５から１７のいずれか一項に記載のＡＭＦ（１０６）。
【請求項１９】
ＡＮ（１０４）であって、前記ＡＮ（１０４）は、
ユーザ機器（ＵＥ）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦ（１０６）から受信するように設定された、受信モジュール（１１０２）と、
前記ＵＥと前記ＡＮとの間のＲＲＣ接続をセットアップするように設定された、通信モジュール（１１０４）と、
前記ＵＥがＣＭ接続、ＲＲＣ非アクティブ状態に遷移したと決定するように設定された、決定モジュール（１１０８）と、
前記ＵＥがＣＭ接続、ＲＲＣ非アクティブ状態に遷移したと前記決定モジュールが決定したことに応答して、周期更新タイマーを開始するように設定された、タイマーモジュール（１１１０）と、
前記決定モジュール（１１０８）が、前記ＵＥに関連するＵＥ−ＲＡＮコンテキストを除去することを決定するようにさらに設定され、
前記ＵＥに関連する前記ＵＥ−ＲＡＮコンテキストを除去することを前記決定モジュールが決定したことに応答して、前記周期更新タイマーの経過時間値（δＲＡＮ）を含むＮ２  ＵＥコンテキスト解放要求を前記ＡＭＦ（１０６）に送るように設定された、送信モジュール（１１０６）と
を備える、ＡＮ（１０４）。
【請求項２０】
前記送信モジュール（１１０６）は、ＲＡＮが前記ＵＥ（１０２）を設定することを意図する周期ＲＡＮ更新タイマー値を指示する、前記周期ＲＡＮ更新タイマー値を備えるＵＥコンテキスト応答を前記ＡＭＦ（１０６）に送るようにさらに設定され、前記送信モジュール（１１０６）は、前記ＵＥ（１０２）が前記ＲＲＣ非アクティブ状態に入ったことを前記ＡＭＦ（１０６）に通知するようにさらに設定された、請求項１９に記載のＡＮ。
【発明の詳細な説明】
【技術分野】
【０００１】
アクセスネットワーク（ＡＮ）とコアネットワーク（ＣＮ）とによってユーザ機器（ＵＥ）到達可能性（ｒｅａｃｈａｂｉｌｉｔｙ）をハンドリングすることに関する実施形態が開示される。
【背景技術】
【０００２】
ユーザ機器（ＵＥ）到達可能性の概念は、３ＧＰＰ  ＴＳ  ２３．５０１  ｖ０．３．０、節５．４０．１（ＣＭアイドル（ＣＭ−ＩＤＬＥ））および節５．４．２（ＣＭ接続（ＣＭ−ＣＯＮＮＥＣＴＥＤ））において説明されている。要するに、到達可能性管理は、ＵＥが到達可能であるかどうかを検出することと、ネットワークがＵＥに到達するためのＵＥロケーション（すなわち、アクセスノード）を与えることとを担当する。これは、ＵＥをページングすることとＵＥロケーション追跡とによって行われる。ＵＥロケーション追跡は、ＵＥ登録エリア追跡（すなわち、ＵＥ登録エリア更新）とＵＥ到達可能性追跡（すなわち、ＵＥ周期登録エリア更新）の両方を含む。そのような機能性は、５ＧＣ（ＣＭアイドル状態の場合）または５Ｇ−ＲＡＮ（ＣＭ接続状態の場合）のいずれかにあり得る。
【発明の概要】
【０００３】
参照された３ＧＰＰ  ＴＳ  ２３．５０１  ｖ０．３．０において指示されているように、いくつかのエリアがさらなる検討が必要（「ＦＦＳ」として指示される）とマークされている。１つのそのようなエリアは、無線リソース制御（ＲＲＣ）レベルにおける周期タイマーと非アクセス層（ＮＡＳ：Ｎｏｎ−Ａｃｃｅｓｓ−Ｓｔｒａｔｕｍ）プロトコルレベルにおける周期タイマーとが、どのように協働することができるかということである。この問題点が対処されない場合、ＵＥが「到達可能」状態（すなわち、ＲＲＣ非アクティブ状態にあり、ＲＡＮがＵＥ到達可能性を担当するか、ＣＭアイドル状態にあり、ＣＮがＵＥ到達可能性を担当するかのいずれか）にとどまる総時間が不正確である。長すぎる場合、ＵＥは、ネットワークによって到達可能であると誤ってみなされ、短すぎる場合、ＵＥは、ネットワークによって到達可能でないと誤ってみなされる。
【０００４】
本開示は、特定のＵＥに関するＲＲＣ非アクティブ状態においてＲＡＮによって費やされる時間を調整し、したがって、ＵＥが「ＣＭ接続」および「ＲＲＣ非アクティブ」から「ＣＭアイドル」状態に状態を変更したとき、コアネットワークが適切なＮＡＳレベルタイマーを開始することができるようにするための、アクセスネットワーク（たとえば、５Ｇ  ＲＡＮ）とコアネットワーク（たとえば、５Ｇ  Ｃｏｒｅ（たとえば、ＡＭＦ））との間の調整について説明する。この調整は、全体的な管理、特に、ＵＥが「到達可能」にとどまる総時間の管理を改善する。
【０００５】
一態様では、ＡＭＦによって実施される方法が提供される。いくつかの実施形態では、本方法は、ＡＭＦが経過時間値（ｅｌａｐｓｅｄ  ｔｉｍｅ  ｖａｌｕｅ）（δＲＡＮ）を決定することと、ＡＭＦが、経過時間値が、ネゴシエートされたＮＡＳ周期タイマー（τＮＡＳ−ｐｅｒ）よりも小さいかどうかを決定することとを含み、ＡＭＦは、δＲＡＮ＜τＮＡＳ−ｐｅｒであるとＡＭＦが決定したことの結果として、ＡＭＦが、ＵＥをＣＭアイドル状態に遷移させ、τＮＡＳ−ｐｅｒ−δＲＡＮに等しい値からＮＡＳ周期タイマーを開始するように設定される。
【０００６】
いくつかの実施形態では、ＡＭＦは、τＮＡＳ−ｐｅｒ≦δＲＡＮであるとＡＭＦが決定したことの結果として、ＡＭＦが、ＵＥをＣＭアイドル状態に遷移させ、ＵＥに関連するページング進行フラグ（ＰＰＦ：Ｐａｇｉｎｇ  Ｐｒｏｃｅｅｄ  Ｆｌａｇ）をクリアするようにさらに設定される。
【０００７】
いくつかの実施形態では、ＡＭＦは、τＮＡＳ−ｐｅｒ≦δＲＡＮおよびδＲＡＮ＜τＮＡＳ−ｐｅｒ＋τｄｅｔであるとＡＭＦが決定したことの結果として、ＡＭＦが、τｄｅｔ−（δＲＡＮ−τＮＡＳ−ｐｅｒ）に等しい値でＮＡＳ周期タイマーを開始するようにさらに設定され、τｄｅｔがＮＡＳ暗黙的デタッチタイマーである。
【０００８】
いくつかの実施形態では、ＡＭＦは、δＲＡＮ＞τＮＡＳ−ｐｅｒ＋τｄｅｔであるとＡＭＦが決定したことの結果として、ＡＭＦがＵＥを暗黙的にデタッチするようにさらに設定される。
【０００９】
いくつかの実施形態では、経過時間値を決定することは、経過時間値を含むユーザ機器（ＵＥ）コンテキスト解放要求をアクセスネットワーク（ＡＮ）から受信することを含む。
【００１０】
別の実施形態では、ＡＭＦは、ユーザ機器（ＵＥ）がＣＭ接続、ＲＲＣアクティブ（ＲＲＣ−Ａｃｔｉｖｅ）状態に遷移する準備ができていると決定することと、ＵＥがＣＭ接続、ＲＲＣアクティブ状態に遷移する準備ができていると決定したことに応答して、ＮＡＳ周期タイマーとＮＡＳ登録エリアとを含むＵＥコンテキスト要求をアクセスネットワーク（ＡＮ）に送ることとを含む方法を実施する。
【００１１】
別の実施形態では、ＡＭＦは、ＵＥに関連し、アクセスネットワーク（ＡＮ）がＵＥを監視する際に使用するための周期タイマーを開始することと、ＡＮがＮ２  ＵＥコンテキスト解放要求を送信することとの間に経過した時間量を指示する経過時間値を含むＮ２  ＵＥコンテキスト解放要求をＡＮから受信することを含む方法を実施する。いくつかの実施形態では、本方法は、ユーザ機器（ＵＥ）がＣＭ接続、ＲＲＣアクティブ状態に遷移する準備ができていると決定することと、ＵＥがＣＭ接続、ＲＲＣアクティブ状態に遷移する準備ができていると決定したことに応答して、ＮＡＳ周期タイマーとＮＡＳ登録エリアとを含むＵＥコンテキスト要求をアクセスネットワーク（ＡＮ）に送ることとをも含む。
【００１２】
別の態様では、アクセスネットワーク（ＡＮ）によって実施される方法が提供される。いくつかの実施形態では、本方法は、ＡＮが、ユーザ機器（ＵＥ）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦから受信することと、ＡＮが、ＵＥとＡＮとの間のＲＲＣ接続をセットアップすることとを含む。
【００１３】
別の態様では、ＡＮは、ユーザ機器（ＵＥ）がＣＭ接続、ＲＲＣ非アクティブ（ＲＲＣ−Ｉｎａｃｔｉｖｅ）状態に遷移したと決定することと、ＵＥがＣＭ接続、ＲＲＣ非アクティブ状態に遷移したと決定したことに応答して、周期更新タイマーを開始することと、ＵＥに関連するＵＥ−ＲＡＮコンテキストを除去することを決定することと、ＵＥに関連するＵＥ−ＲＡＮコンテキストを除去することを決定したことに応答して、周期更新タイマーの経過時間値を含むＮ２  ＵＥコンテキスト解放要求をＡＭＦに送ることとを含む方法を実施する。
【００１４】
別の実施形態では、ＡＮは、ユーザ機器（ＵＥ）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦから受信することと、ＵＥとＡＮとの間のＲＲＣ接続をセットアップすることと、ＵＥがＣＭ接続、ＲＲＣ非アクティブ状態に遷移したと決定することと、ＵＥがＣＭ接続、ＲＲＣ非アクティブ状態に遷移したと決定したことに応答して、周期更新タイマーを開始することと、ＵＥに関連するＵＥ−ＲＡＮコンテキストを除去することを決定することと、ＵＥに関連するＵＥ−ＲＡＮコンテキストを除去することを決定したことに応答して、周期更新タイマーの経過時間値を含むＮ２  ＵＥコンテキスト解放要求をＡＭＦに送ることとを含む方法を実施する。
【００１５】
本明細書に組み込まれ、明細書の一部をなす添付の図面は、様々な実施形態を示している。
【図面の簡単な説明】
【００１６】
【図１】いくつかの実施形態による、次世代ネットワークのための非ローミングアーキテクチャビューを示す図である。
【図２】いくつかの実施形態による、次世代ネットワークのためのローミング（ホームルーティング（ｈｏｍｅ−ｒｏｕｔｅｄ））アーキテクチャビューを示す図である。
【図３】ＵＥ状態およびＵＥ状態の遷移を示す状態遷移図である。
【図４】いくつかの実施形態による、プロセスを示すフローチャートである。
【図５】ＵＥとＡＮとＡＭＦとの間のメッセージの交換を示すメッセージフロー図である。
【図６】いくつかの実施形態による、プロセスを示すフローチャートである。
【図７】いくつかの実施形態による、プロセスを示すフローチャートである。
【図８】いくつかの実施形態による、ＵＥのブロック図である。
【図９】いくつかの実施形態による、ＡＭＦまたはＡＮのブロック図である。
【図１０】いくつかの実施形態による、ＡＭＦの機能モジュールを示す図である。
【図１１】いくつかの実施形態による、ＡＮの機能モジュールを示す図である。
【発明を実施するための形態】
【００１７】
図１は、次世代ネットワークのための非ローミングアーキテクチャビューを示す。図２は、次世代ネットワークのためのローミング（ホームルーティング）アーキテクチャビューを示す。
【００１８】
図１および図２を参照すると、コアアクセスおよびモビリティ管理機能（ＡＭＦ）（１０６）ならびにセッション管理機能（ＳＭＦ）は、コアネットワークの制御プレーンを表し、ＧＥＲＡＮ、ＵＴＲＡＮおよびＥ−ＵＴＲＡＮにおける、ＳＧＳＮ、ＭＭＥ、ＧＧＳＮ、ＳＧＷおよびＰＧＷの制御プレーン部分と同じ機能性を有する。ポリシー制御機能（ＰＣＦ）は、ＧＥＲＡＮ、ＵＴＲＡＮおよびＥ−ＵＴＲＡＮのために使用されるＰＣＲＦと同様の機能である。統合データ管理（ＵＤＭ）は、オペレータのサブスクライバについてのすべて情報を含むサブスクリプション情報記憶域である。サブスクライバがネットワークに接続するとき、サブスクリプション情報がＵＤＭから取り出される。ローミングシナリオでは、サービングオペレータが、ホームオペレータのネットワーク中にあるサブスクリプション情報を取り出す。ＵＤＭは、ホームサブスクライバサーバ（ＨＳＳ）またはホームロケーションレジスタ（ＨＬＲ）と同様のものとして見られ得、１番目のものはＬＴＥ／ＥＰＳのために使用され、２番目のものはＧＥＲＡＮおよびＵＴＲＡＮのために使用される。
【００１９】
図３は、ＵＥがそれらの間を遷移することができる異なる状態を示す。たとえば、ＵＥ１０２は、ＣＭアイドル状態３０２；ＣＭ接続、ＲＲＣアクティブ状態３０４；またはＣＭ接続、ＲＲＣ非アクティブ状態３０６のうちの１つにあり得る。一般的な動作では、ＵＥ１０２は、状態３０２から状態３０４に、状態３０４から状態３０６に、および状態３０６から状態３０２に遷移することになる。
【００２０】
図４は、ＵＥがＣＭ接続、ＲＲＣ非アクティブ状態からＣＭアイドル状態に遷移するとき、ＡＭＦが適切なＮＡＳレベルタイマーを開始することを可能にすることによって、上記で説明された問題を回避するプロセス４００を示す。
【００２１】
プロセス４００はステップ４０２において始まり得、ＡＭＦは、ＵＥがＣＭ接続、ＲＲＣ非アクティブ状態にある場合、アクセスネットワーク（ＡＮ）１０４（たとえば、無線アクセスネットワーク（ＲＡＮ））によって費やされる時間を表す経過時間値を決定する。たとえば、経過時間値は、ＵＥがＲＲＣ非アクティブ状態に入ったという通知をＡＭＦがＡＮから受信した時点と、現在時間との間の時間量であり得るか、または、経過時間値は、ＡＮが、ＵＥ周期ＡＮ更新を監視するための周期タイマーを開始した時点と、ＡＮが、ＡＭＦへの送信のためのＮ２  ＵＥコンテキスト解放要求を生成した時点との間の時間量であり得る。
【００２２】
いくつかの実施形態では、ＡＭＦは、経過時間値を含むＵＥコンテキスト解放要求をＡＮから受信することによって、経過時間値を決定する。他の実施形態では、ＡＭＦは、ＡＮから受信された他の情報に基づいて経過時間値を決定し得る（たとえば、コンテキスト解放要求は受信されないが、ノードレベルＮ２リセット／セットアップメッセージが、ＡＮから受信される場合、ＡＭＦは、ＵＥ１０２がＲＲＣ非アクティブ状態に入ったことを指示する、前に受信された情報を使用し得る）。
【００２３】
次いで、比較が行われ、経過時間値（δＲＡＮ）と、ネゴシエートされたＮＡＳ周期タイマー（τｐｅｒ）と、通常ＮＡＳ暗黙的デタッチタイマー（τｄｅｔ）とが使用される。特に、経過時間値（δＲＡＮ）は、３つの間隔、すなわち、（１）δＲＡＮ＜τｐｅｒ、（２）τｐｅｒ≦δＲＡＮ＜τｄｅｔ＋τｐｅｒ、および（３）δＲＡＮ≧τｄｅｔ＋τｐｅｒのうちの１つ中にあり得る。次いで、経過時間値（δＲＡＮ）がこれらの間隔のうちのどれに分類されるかに応じて、特定のアクションがとられる。
【００２４】
たとえば、ステップ４０４において、経過時間値が、ネゴシエートされたＮＡＳ周期タイマーよりも小さいかどうかが決定される。経過時間値が、ネゴシエートされたＮＡＳ周期タイマーよりも小さい場合（すなわち、δＲＡＮ＜τｐｅｒ）、ステップ４０８において、ＡＭＦ１０６は、ＵＥ１０２をＣＭアイドル状態にセットし、ネゴシエートされたＮＡＳ周期タイマーの値−経過時間値（すなわち、τｐｅｒ−δＲＡＮ）から、ＮＡＳ周期タイマーを開始する。このタイマーが満了すると、ＡＭＦ１０６が、追跡エリア更新（ＴＡＵ）要求またはルーティングエリア更新（ＲＡＵ）要求を受信していない場合、ＡＭＦ１０６は、ページング進行フラグ（ＰＰＦ）をクリアし、暗黙的デタッチタイマーを開始する。暗黙的デタッチタイマーが満了したとき、ＵＥが依然として応答していない場合、ＵＥはネットワークから暗黙的にデタッチされる。
【００２５】
一方、経過時間値が、ネゴシエートされたＮＡＳ周期タイマー以上である場合、ステップ４０６において、ＡＭＦは、経過時間値が、ネゴシエートされたＮＡＳ周期タイマー＋通常ＮＡＳ暗黙的デタッチタイマーよりも大きいかまたはそれに等しいかどうかを決定する。経過時間値が、ネゴシエートされたＮＡＳ周期タイマー＋通常ＮＡＳ暗黙的デタッチタイマーよりも大きいかまたはそれに等しい場合（すなわち、δＲＡＮ≧τｄｅｔ＋τＮＡＳ−ｐｅｒ）、ステップ４１２において、ＡＭＦ１０６は、ＵＥ１０２をＣＭアイドル状態にセットし、ページング進行フラグ（ＰＰＦ）をクリアし、ＵＥ１０２を暗黙的にデタッチし、他の場合（すなわち、τＮＡＳ−ｐｅｒ≦δＲＡＮ＜τｄｅｔ＋τＮＡＳ−ｐｅｒ）、プロセスはステップ４１０に進み、ＡＭＦは、ＵＥ１０２をＣＭアイドル状態にセットし、ページング進行フラグ（ＰＰＦ）をクリアし、通常ＮＡＳ暗黙的デタッチタイマーの値−経過時間値とネゴシエートされたＮＡＳ周期時間との間の差から、ＮＡＳ暗黙的デタッチタイマーを開始する。
【００２６】
図５は、ＵＥが、ＣＭアイドル状態からＣＭ接続、ＲＲＣアクティブ状態に（ステップ１〜４）、次いでＣＭ接続、ＲＲＣ非アクティブ状態に（ステップ５〜８）、次いでＣＭアイドル状態（ステップ９〜ステップ１０）に状態を変更するシナリオを示すメッセージフロー図である。
【００２７】
以下の説明では、ＮＡＳ周期タイマーという用語が使用されるが、各事例において、ＮＡＳ周期タイマーは、代替的に、ＮＡＳ到達可能タイマー（ＮＡＳ  ｒｅａｃｈａｂｌｅ  ｔｉｍｅｒ）と考えられ得る。ＡＮ１０４は、ＲＡＮであると推定されるが、他のタイプのアクセスネットワークが可能である。
【００２８】
ＵＥ１０２は、登録されているかまたは登録解除されているかのいずれかの、ＣＭアイドル状態で始まる。
【００２９】
ステップ１．ＵＥ１０２は、ＣＭ接続、ＲＲＣアクティブ状態に状態を変更する（参照番号５０２）ために、モビリティプロシージャ（たとえば、初期登録、モビリティ登録、サービス要求）を実施する。ＡＭＦ１０６は、たとえば、ＵＥ１０２によって実施されたモビリティプロシージャに基づいて、ＵＥ１０２がＣＭ接続、ＲＲＣアクティブ状態に状態を変更する準備ができていると決定する。
【００３０】
ステップ２．ＡＭＦ１０６は、ＲＡＮ  ＵＥコンテキストを構築するために、ＵＥコンテキスト要求をＲＡＮ１０４に送る（参照番号５０４）。ＡＭＦ１０６は、ＮＡＳ周期タイマーと、また、ＮＡＳ登録エリアとをＵＥコンテキスト要求４０４中に含めることになり、これらは、ステップ４およびステップ６においてＲＡＮ１０４によって使用され得る。
【００３１】
ステップ３．ＲＡＮ１０４は、ＵＥ１０２とＲＡＮ１０４との間の適切なＲＲＣ接続をセットアップする（参照番号５０６）。
【００３２】
ステップ４．ＲＡＮ１０４は、ＵＥコンテキスト応答をＡＭＦ１０６に送る（参照番号５０８）。ＵＥコンテキスト応答は、周期ＲＡＮ更新タイマー値を含み得る。タイマー値は、ＲＡＮ１０４がＵＥを設定することを意図する周期ＲＡＮ更新タイマー値を指示する。タイマー値は、特定のＮ２  ＵＥコンテキスト解放要求が受信されない場合、ＲＲＣ非アクティブ状態におけるＲＡＮ１０４による経過時間を計算するために、ＡＭＦ１０６によって使用され得る（以下のステップ９参照、参照番号５２０）。ＲＡＮ１０４は、任意の後の時点において、たとえば、ＡＭＦ１０６を介したハンドオーバプロシージャにおける、アップリンクＮＡＳトランスポート、ＲＲＣ非アクティブ通知において、ＡＭＦ１０６中のタイマー値情報を提供／更新することができる。
【００３３】
ステップ５．ＲＡＮ１０４は、その基準に基づいてＵＥ１０２をＲＲＣ非アクティブ状態に入れることを決める（参照番号５１０）。たとえば、そのような基準は、ある時間量の後ＵＥトラフィック／シグナリングがないこと、またはＵＥが小量のデータのみをまれに送ることを含む。
【００３４】
ステップ６．ＵＥ１０２とＲＡＮ１０４との間のＲＲＣプロシージャにより、ＵＥ１０２がＲＲＣ非アクティブ状態に移る（参照番号５１２）。ＲＡＮ１０４は、周期ＲＡＮ更新タイマー値でＵＥ１０２を設定する。この設定は、任意の時点において発生することがあるが、ＵＥ１０２は、この情報をＲＡＮ１０４から、たとえば、専用シグナリングまたはブロードキャストシグナリングによって受信することができる。
【００３５】
ステップ６ａ’．ＲＡＮ１０４が、周期ＲＡＮ更新タイマー値でＵＥ１０２を設定するとき、ＲＡＮ１０４はまた、ＵＥ１０４がＲＲＣ非アクティブ状態に入ったことをＡＭＦ１０６に知らせる（参照番号５１４）。ＲＡＮ１０４は、さらに、この通知中で周期ＲＡＮ更新タイマー値をＡＭＦ１０６に提供し得る（たとえば、ＵＥコンテキスト応答中で前に送られたタイマー値を提供／更新し得る）。ＡＭＦ１０６はまた、ＲＲＣ非アクティブ状態を監視するためのタイマーを開始し得る。
【００３６】
ステップ７．ＲＡＮ１０４は、周期ＲＡＮ更新のためにＵＥ１０２を監視するための周期タイマーを開始する（参照番号５１６）。ＵＥ１０２も、周期ＲＡＮ更新タイマーを開始する。
【００３７】
ステップ８．ＲＡＮ１０４は、様々な基準（たとえば、ＲＡＮ周期タイマー満了、メモリ輻輳によるＵＥコンテキストの削除）に基づいて、ＵＥ  ＲＡＮコンテキストを除去することを決める（参照番号５１８）。
【００３８】
ステップ９．ＲＡＮ１０４は、Ｎ２  ＵＥコンテキスト解放要求をＡＭＦ１０６に送る（参照番号５２０）。ＲＡＮ１０４は、ＲＡＮ周期更新タイマーの経過時間値をＡＭＦ１０６に提供することになり、この値は、ＲＡＮ１０４が周期タイマーを開始した（参照番号５１６参照）後に費やした時間を指示する。ＲＡＮ１０４が、たとえばＲＡＮノード故障のために、Ｎ２  ＵＥコンテキスト解放要求を送ることが可能でなく、ＲＡＮ１０４が、ノードレベルＮ２リセット／セットアップメッセージのみを送ることが可能である場合、ＡＭＦ１０６は、ＲＲＣ非アクティブ状態通知がＲＡＮ１０４から受信されたとき、ＡＭＦ１０６がステップ４（参照番号５０８）またはステップ６ａ’（参照番号５１４）において受信したであろう情報に基づいて、ＲＡＮ経過時間値を計算することが依然として可能である。
【００３９】
ステップ１０．ＡＭＦ１０６は、以下のやり方でＵＥ１０２をＣＭアイドル状態にセットする（参照番号５２２）。
【００４０】
経過時間値がＮ２  ＵＥコンテキスト解放要求中に含まれず（または、場合によっては、ＡＭＦが経過時間値を決定することができず）、ＵＥ１０２が（ＵＥコンテキスト解放要求より前に）ＲＲＣ非アクティブ状態にない場合、ＡＭＦ１０６は、登録プロシージャ中のネゴシエートされた値からＮＡＳ周期タイマーを開始することになる。一方、経過時間値がＮ２  ＵＥコンテキスト解放要求中に含まれる場合（または、ＡＭＦが経過時間値を決定することができる場合）、（ｉ）経過時間値が、ネゴシエートされたＮＡＳ周期タイマーよりも小さい場合、ＡＭＦ１０６は、ＵＥ１０２をＣＭアイドル状態にセットし、登録プロシージャ中にネゴシエートされた値−経過時間値から、ＮＡＳ周期タイマーを開始することになり、（ｉｉ）経過時間値が、ネゴシエートされたＮＡＳ周期時間に等しいかまたはそれよりも大きい（が、ネゴシエートされたＮＡＳ周期タイマー＋通常ＮＡＳ暗黙的デタッチタイマーよりも小さい）場合、ＡＭＦ１０６は、ＵＥ１０２をＣＭアイドル状態にセットし、ページング進行フラグ（ＰＰＦ）パラメータをクリアし、通常ＮＡＳ暗黙的デタッチタイマーの値−経過時間値とネゴシエートされたＮＡＳ周期タイマーとの間の差から、ＮＡＳ暗黙的デタッチタイマーを開始することになり、（ｉｉｉ）経過時間値が、ネゴシエートされたＮＡＳ周期タイマー＋通常ＮＡＳ暗黙的デタッチタイマーに等しいかまたはそれよりも大きい場合、ＡＭＦ１０６は、ＵＥを暗黙的にデタッチすることになる。
【００４１】
図６は、ＡＭＦによって実施されるプロセス６００を示す。プロセス６００は、ステップ６０２において始まり得、ＡＭＦは、ユーザ機器（ＵＥ）がＣＭ接続、ＲＲＣアクティブ状態に遷移する準備ができていると決定する。
【００４２】
プロセス６０４において、ＵＥがＣＭ接続、ＲＲＣアクティブ状態に遷移する準備ができていると決定したことに応答して、ＡＭＦは、ＮＡＳ周期タイマーとＮＡＳ登録エリアとを含むＵＥコンテキスト要求をアクセスネットワーク（ＡＮ）に送る。
【００４３】
プロセス６０６において、ＡＭＦは、ＵＥに関連し、ＡＮがＵＥを監視する際に使用するための周期タイマーを開始することと、ＡＮがＮ２  ＵＥコンテキスト解放要求を送信することとの間に経過した時間量を指示する経過時間値を含むＮ２  ＵＥコンテキスト解放要求をＡＮから受信する。
【００４４】
図７は、ＡＮによって実施されるプロセス７００を示す。プロセス７００は、ステップ７０２において始まり得、ＡＮは、ユーザ機器（ＵＥ）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦから受信する。
【００４５】
ステップ７０４において、ＡＮは、ＵＥとＡＮとの間のＲＲＣ接続をセットアップする。
【００４６】
ステップ７０６において、ＡＮは、ＵＥがＣＭ接続、ＲＲＣ非アクティブ状態に遷移したと決定する。
【００４７】
ステップ７０８において、ＵＥがＣＭ接続、ＲＲＣ非アクティブ状態に遷移したと決定したことに応答して、ＡＮは、周期更新タイマーを開始する。
【００４８】
ステップ７１０において、ＡＮは、ＵＥに関連するＵＥ−ＲＡＮコンテキストを除去することを決定する。
【００４９】
ステップ７１２において、ＵＥに関連するＵＥ−ＲＡＮコンテキストを除去することを決定したことに応答して、ＡＮは、周期更新タイマーの経過時間値を含むＮ２  ＵＥコンテキスト解放要求をＡＭＦに送る。
【００５０】
図８は、いくつかの実施形態による、ＵＥ１０２のブロック図である。図８に示されているように、ＵＥ１０２は、１つまたは複数のプロセッサ（Ｐ）８５５（たとえば、汎用マイクロプロセッサ、および／または、特定用途向け集積回路（ＡＳＩＣ）、フィールドプログラマブルゲートアレイ（ＦＰＧＡ）など、１つまたは複数の他のプロセッサ）を含み得るデータ処理装置（ＤＰＡ）８０２と、ＵＥ１０２がＡＮノード（たとえば、基地局）にデータを送信し、ＡＮノードからデータを受信することを可能にするためのアンテナ８２２に結合された送信機８０５および受信機８０４と、１つまたは複数の不揮発性記憶デバイスおよび／または１つまたは複数の揮発性記憶デバイス（たとえば、ランダムアクセスメモリ（ＲＡＭ））を含み得るローカル記憶ユニット（別名「データ記憶システム」）８０８とを備え得る。ＵＥ１０２が汎用マイクロプロセッサを含む実施形態では、コンピュータプログラム製品（ＣＰＰ）８４１が提供され得る。ＣＰＰ８４１はコンピュータ可読媒体（ＣＲＭ）８４２を含み、ＣＲＭ８４２は、コンピュータ可読命令（ＣＲＩ）８４４を含むコンピュータプログラム（ＣＰ）８４３を記憶する。ＣＲＭ８４２は、限定はしないが、磁気媒体（たとえば、ハードディスク）、光媒体、メモリデバイス（たとえば、ランダムアクセスメモリ）など、非一時的コンピュータ可読媒体であり得る。いくつかの実施形態では、コンピュータプログラム８４３のＣＲＩ８４４は、データ処理装置８０２によって実行されたとき、ＣＲＩが、ＵＥ１０２に、上記で説明されたステップ（たとえば、フローチャートを参照しながら上記で説明されたステップ）を実施させるように設定される。他の実施形態では、ＵＥ１０２は、コードの必要なしに本明細書で説明されるステップを実施するように設定され得る。すなわち、たとえば、データ処理装置８０２は、単に１つまたは複数のＡＳＩＣからなり得る。したがって、本明細書で説明される実施形態の特徴は、ハードウェアおよび／またはソフトウェアで実装され得る。
【００５１】
図９は、いくつかの実施形態による、ＡＮ１０４およびＡＭＦ１０６のブロック図である。図９に示されているように、ＡＮ１０４およびＡＭＦ１０６は、１つまたは複数のプロセッサ（Ｐ）９５５（たとえば、汎用マイクロプロセッサ、および／または、特定用途向け集積回路（ＡＳＩＣ）、フィールドプログラマブルゲートアレイ（ＦＰＧＡ）など、１つまたは複数の他のプロセッサ）を含み得るデータ処理装置（ＤＰＡ）９０２と、ネットワークインターフェース９４８であって、ＡＭＦ１０６が、ネットワークインターフェース９４８が接続されるネットワーク１１０（たとえば、インターネットプロトコル（ＩＰ）ネットワーク）に接続された他のノードにデータを送信し、他のノードからデータを受信することを可能にするための送信機（Ｔｘ）９４５および受信機（Ｒｘ）９４７を備える、ネットワークインターフェース９４８と、１つまたは複数の不揮発性記憶デバイスおよび／または１つまたは複数の揮発性記憶デバイス（たとえば、ランダムアクセスメモリ（ＲＡＭ））を含み得るローカル記憶ユニット（別名「データ記憶システム」）９０８とを備え得る。ＡＭＦ１０６が汎用マイクロプロセッサを含む実施形態では、コンピュータプログラム製品（ＣＰＰ）９４１が提供され得る。ＣＰＰ９４１はコンピュータ可読媒体（ＣＲＭ）９４２を含み、ＣＲＭ９４２は、コンピュータ可読命令（ＣＲＩ）９４４を含むコンピュータプログラム（ＣＰ）９４３を記憶する。ＣＲＭ９４２は、限定はしないが、磁気媒体（たとえば、ハードディスク）、光媒体、メモリデバイス（たとえば、ランダムアクセスメモリ）など、非一時的コンピュータ可読媒体であり得る。いくつかの実施形態では、コンピュータプログラム９４３のＣＲＩ９４４は、データ処理装置９０２によって実行されたとき、ＣＲＩが、ＡＮ１０４またはＡＭＦ１０６に、上記で説明されたステップ（たとえば、フローチャートを参照しながら上記で説明されたステップ）を実施させるように設定される。他の実施形態では、ＡＮ１０４またはＡＭＦ１０６は、コードの必要なしに本明細書で説明されるステップを実施するように設定され得る。すなわち、たとえば、データ処理装置９０２は、単に１つまたは複数のＡＳＩＣからなり得る。したがって、本明細書で説明される実施形態の特徴は、ハードウェアおよび／またはソフトウェアで実装され得る。
【００５２】
図１０は、いくつかの実施形態による、ＡＭＦ１０６の機能モジュールを示す図である。図１０に示されているように、ＡＭＦ１０６は、受信モジュール１００４と、送信モジュール１００２と、アクションモジュール１００６と、決定モジュール１００８とを含む。決定モジュールは、経過時間値（δＲＡＮ）を決定することと、経過時間値がネゴシエートされたＮＡＳ周期タイマー（τＮＡＳ−ｐｅｒ）よりも小さいかどうかを決定することとを行うように設定される。アクションモジュールは、δＲＡＮ＜τＮＡＳ−ｐｅｒであると決定モジュールが決定したことの結果として、ＵＥをＣＭアイドル状態に遷移させ、τＮＡＳ−ｐｅｒ−δＲＡＮに等しい値からＮＡＳ周期タイマーを開始するように設定される。アクションモジュールは、τＮＡＳ−ｐｅｒ≦δＲＡＮであると決定モジュールが決定したことの結果として、ＵＥをＣＭアイドル状態に遷移させ、ＵＥに関連するページング進行フラグ（ＰＰＦ）をクリアするようにさらに設定される。アクションモジュールは、τＮＡＳ−ｐｅｒ≦δＲＡＮおよびδＲＡＮ＜τＮＡＳ−ｐｅｒ＋τｄｅｔであると決定モジュールが決定したことの結果として、τｄｅｔ−（δＲＡＮ−τＮＡＳ−ｐｅｒ）に等しい値でＮＡＳ周期タイマーを開始するようにさらに設定され、τｄｅｔがＮＡＳ暗黙的デタッチタイマーである。アクションモジュールは、δＲＡＮ＞τＮＡＳ−ｐｅｒ＋τｄｅｔであると決定モジュールが決定したことの結果として、ＵＥを暗黙的にデタッチするようにさらに設定される。
【００５３】
決定モジュールは、ユーザ機器（ＵＥ）がＣＭ接続、ＲＲＣアクティブ状態に遷移する準備ができていると決定するようにさらに設定される。送信モジュールは、ＵＥがＣＭ接続、ＲＲＣアクティブ状態に遷移する準備ができていると決定モジュールが決定したことに応答して、ＮＡＳ周期タイマーとＮＡＳ登録エリアとを含むＵＥコンテキスト要求をアクセスネットワーク（ＡＮ）に送るように設定される。受信モジュールは、ＡＮによって送信されたＮ２  ＵＥコンテキスト解放要求を受信するように設定され、Ｎ２  ＵＥコンテキスト解放要求は、ＵＥに関連し、ＡＮがＵＥを監視する際に使用するための周期タイマーを開始することと、ＡＮがＮ２  ＵＥコンテキスト解放要求を送信することとの間に経過した時間量を指示する経過時間値を含む。
【００５４】
図１１は、いくつかの実施形態による、ＡＮ１０４の機能モジュールを示す図である。図１１に示されているように、ＡＮ１０４は、受信モジュール１１０２と、通信モジュール１１０４と、送信モジュール１１０６と、決定モジュール１１０８と、タイマーモジュール１１１０とを含む。受信モジュールは、ユーザ機器（ＵＥ）がＣＭ接続、ＲＲＣアクティブ状態に遷移する準備ができていることを指示する、ＮＡＳ周期タイマーとＮＡＳ登録エリアとを含むＵＥコンテキスト要求をＡＭＦから受信するように設定される。通信モジュールは、ＵＥとＡＮとの間のＲＲＣ接続をセットアップするように設定される。決定モジュールは、ＵＥがＣＭ接続、ＲＲＣ非アクティブ状態に遷移したと決定するように設定される。タイマーモジュールは、ＵＥがＣＭ接続、ＲＲＣ非アクティブ状態に遷移したと決定モジュールが決定したことに応答して、周期更新タイマーを開始するように設定される。決定モジュールは、ＵＥに関連するＵＥ−ＲＡＮコンテキストを除去することを決定するようにさらに設定される。送信モジュールは、ＵＥに関連するＵＥ−ＲＡＮコンテキストを除去することを決定モジュールが決定したことに応答して、周期更新タイマーの経過時間値を含むＮ２  ＵＥコンテキスト解放要求をＡＭＦに送るように設定される。送信モジュールは、ＲＡＮがＵＥを設定することを意図する周期ＲＡＮ更新タイマー値を指示する、周期ＲＡＮ更新タイマー値を含むＵＥコンテキスト応答をＡＭＦに送るようにさらに設定される。送信モジュールは、ＵＥがＲＲＣ非アクティブ状態に入ったことをＡＭＦに通知するようにさらに設定される。
【００５５】
本開示の様々な実施形態が（もしあれば、添付の書類を含む）本明細書で説明されたが、それらの実施形態は、限定ではなく、例として提示されたにすぎないことを理解されたい。したがって、本開示の広さおよび範囲は、上記で説明された例示的な実施形態のいずれによっても限定されるべきでない。その上、本明細書で別段に指示されていない限り、またはコンテキストによって明確に否定されていない限り、上記で説明されたエレメントのそれらのすべての考えられる変形形態における任意の組合せが、本開示によって包含される。
【００５６】
さらに、上記で説明され、図面に示されたプロセスは、ステップのシーケンスとして示されたが、これは、説明のためにのみ行われた。したがって、いくつかのステップが追加され得、いくつかのステップが省略され得、ステップの順序が並べ替えられ得、いくつかのステップが並行して実施され得ることが企図される。
【図１】
0006882509.tif 000002
【図２】
0006882509.tif 000003
【図３】
0006882509.tif 000004
【図４】
0006882509.tif 000005
【図５】
0006882509.tif 000006
【図６】
0006882509.tif 000007
【図７】
0006882509.tif 000008
【図８】
0006882509.tif 000009
【図９】
0006882509.tif 000010
【図１０】
0006882509.tif 000011
【図１１】
0006882509.tif 000012